(57)【要約】  本発明は、複数加入者の通信回線におけるクロストーク検査のための方法、装置及びシステムに関する。主に、各回線の送信側で直交スペクトラム拡散符号のグループを取り込み、受信側で受信信号ベクトルに従ってｘＳＤＬ回線のクロストークを検査する。これにより、クロストークの発信源、振幅及び位相を識別することが可能となる。本発明によると、クロストーク検査が、他の回線の伝送性能に影響を与えることなくｘＳＤＬ回線でリアルタイムに実施できる。さらに、検査結果は、幾つの回線が検査中回線に有意に影響を及ぼすのかを示し、その影響の重大度を反映したものであり、動的スペクトルマネジメントへの有効な基準とＤＳＬＡＭ装置の性能の最適化を提供する。【選択図】図４
2009508415.tif 000002
【特許請求の範囲】
【請求項１】
複数加入者の通信回線におけるクロストーク検査方法であって、該方法が、
送信側で、直交スペクトラム拡散符号を複数加入者の通信回線間の回線に取り込む工程と、
前記直交スペクトラム拡散符号が取り込まれた信号を送信する工程を備え、
前記直交スペクトラム拡散符号は前記回線に対応したものであり、
前記方法はさらに、
受信側で、実際の受信信号ベクトルに従ってクロストークベクトル情報を得る工程と、
前記回線のうち特定の回線からのクロストークの定量値を測定する工程を備えることを特徴とする方法。
【請求項２】
前記直交スペクトラム拡散符号が複数加入者の通信回線のうち各回線にマップされ、該方法はさらに、
前記各回線をラベルする工程と、
直交スペクトラム拡散符号のグループにラベルをマップする工程と、
前記マップをマッピングテーブルに保存する工程を備えることを特徴とする請求項１記載の方法。
【請求項３】
前記直交スペクトラム拡散符号を取り込む工程がさらに、
前記回線に対応する前記直交スペクトラム拡散符号を、前記回線の１つのトーンまたは複数のトーンにおけるシンボルに連続的に取り込む工程を備え、
前記各回線において、前記各シンボルが、前記回線に対応する１以上のビットの直交スペクトラム拡散符号を用いて取り込まれることを特徴とする請求項１記載の方法。
【請求項４】
前記実際の受信信号ベクトルに基づきクロストークベクトル情報を得る工程がさらに、
前記検査中回線の受信側で、高速フーリエ変換（ＦＦＴ）による前記検査中回線の各トーンまたは各回線の前記受信信号からのクロストーク情報を含む受信信号ベクトルを得る工程と、
前記受信信号ベクトルと期待受信信号ベクトル間の差を算出する工程と、
前記差を、特定のトーンまたは前記検査中回線における前記クロストーク情報として見なす工程を備えることを特徴とする請求項１乃至３いずれかに記載の方法。
【請求項５】
前記特定の回線のクロストークの前記定量値を測定する工程がさらに、
前記対応する直交スペクトラム拡散符号による前記トーンまたは回線の前記クロストークベクトル情報を逆拡散する工程と、
前記逆拡散結果に従って、前記特定の回線から前記検査中回線への前記クロストークまたは前記検査中回線の前記トーンにおける前記クロストークの定量値を得る工程を備えることを特徴とする請求項１乃至３のいずれかに記載の方法。
【請求項６】
前記逆拡散結果が下式（数１）で示されることを特徴とする請求項５記載の方法。
【数１】
2009508415.tif 000007
尚、Ｌは直交スペクトラム拡散符号の長さであり、ｂｉは回線ｉに対応する前記直交スペクトラム拡散符号であり、△（ａ＋ｊｂ）は前記クロストークベクトル情報である。
【請求項７】
前記特定の回線から前記検査中回線への前記クロストークまたは前記検査中回線の前記トーンにおける前記クロストークの定量値を得る工程がさらに、
定量値を得るために前記逆拡散結果にＭＯＤ操作を実施する工程と、
前記値が設定閾値を越えているか否かを決定する工程を備え、
前記値が前記設定閾値を超えている場合、前記値を前記特定の回線から前記検査中回線へのクロストークの定量値として見なし、
前記値が前記設定閾値を超えていない場合、前記検査中回線において前記特定の回線によるクロストークの影響はないと決定することを特徴とする請求項５記載の方法。
【請求項８】
検査中回線の複数のトーンにおいてクロストークを検出した場合、前記検査中回線または前記検査中回線の前記トーンにおける前記特定の回線からの前記クロストークの定量値を得る工程がさらに、
前記検査中回線の次のトーンにおける逆拡散結果を決定する工程と、
前記検査中の前記回線の全ての前記複数のトーンの前記逆拡散結果が得られるまで、前記特定の回線から前記検査中回線の前記次のトーンへの前記クロストークの前記定量値を算出及び決定する工程と、
前記クロストーク検査結果を得る工程を備えることを特徴とする請求項７記載の方法。
【請求項９】
前記逆拡散結果に基づく前記検査中回線における前記クロストーク信号の位相角を得る工程と、
前記検査中回線の初期位相角に基づく位相特性を決定する工程を備えることを特徴とする請求項５記載の方法。
【請求項１０】
複数加入者の通信回線におけるクロストーク検査のための送信装置であって、該送信装置は、
回線ラベルと直交スペクトラム拡散符号間の前記マッピングを保存して、取り込まれる信号を検査信号取り込みモジュールに提供するように構成される取り込み信号設定モジュールと、
前記取り込み信号設定モジュールによって供給される前記検査回線に対応する直交スペクトラム拡散符号に基づく検査信号を取り込み、前記検査信号を送信するように構成される検査信号取り込みモジュールを備えることを特徴とする送信装置。
【請求項１１】
複数加入者の通信回線におけるクロストーク検査のための受信装置であって、該受信装置は、
送信装置からの信号を受信し、高速フーリエ変換（ＦＦＴ）による受信信号ベクトルを得るように構成される信号受信及び処理モジュールと、
前記受信装置の前記受信信号ベクトルと期待受信信号ベクトルに基づくクロストークベクトルを算出するように構成されるクロストークベクトル算出モジュールと、
前記クロストークベクトルに基づいて、特定の回線から前記検査中回線への前記クロストークの前記定量値を算出するように構成されるクロストーク値算出モジュールを備えることを特徴とする受信装置。
【請求項１２】
前記クロストーク値算出モジュールが、
前記クロストークベクトルを逆拡散し、逆拡散結果を得るように構成される逆拡散モジュールと、
前記逆拡散結果にＭＯＤ操作を実施し、定量値と位相を得るように構成される値及び位相算出モジュールと、
前記ＭＯＤ操作結果と設定閾値に基づいてクロストークが存在するか否かを判断し、前記クロストークの前記定量値を決定するように構成される判断モジュールを備えることを特徴とする請求項１１記載の受信装置。
【請求項１３】
複数加入者の通信回線におけるクロストーク検査のシステムであって、
送信装置と受信装置を備え、
前記送信装置が検査信号を送信し、
前記受信装置が検査信号を受信して前記クロストークの定量値を算出することを特徴とするシステム。
【発明の詳細な説明】
【技術分野】
【０００１】
本発明は、ネットワーク通信技術に関し、特に複数加入者の通信回線におけるクロストーク検査技術に関する。
【背景技術】
【０００２】
非対称型デジタル加入者回線（ＡＤＳＬ）技術は、第１世代ＡＤＳＬ、第２世代ＡＤＳＬ２およびＡＤＳＬ２＋から最新の超高速デジタル加入者線２（ＶＤＳＬ２）へと数年にわたって発達してきた。周波数帯域の増加に伴って帯域幅も増加している。ＡＤＳＬとＡＤＳＬ２はダウンリンク周波数帯域が１．１ＭＨｚよりも低く、また８Ｍｂｐｓという高いダウンリンク速度を提供する。ＡＤＳＬ２＋は、ダウンリンク帯域幅が２．２ＭＨｚまで拡大しており、最大で２４Ｍｂｐｓのダウンリンク速度を提供する。ＶＤＳＬ２は、ダウンリンクには３０ＭＨｚまでの周波数帯域を使用し、アップリンク及びダウンリンク対称速度として１００Ｍｂｐｓの速度を提供する。
【０００３】
ｘＤＳＬ技術の周波数帯域は増加しているが、特に高周波帯域ではクロストークが問題となる。図１及び図２に示す如く、クロストークには近端クロストーク（ＮＥＸＴ）と遠端クロストーク（ＦＥＸＴ）が存在する。ＮＥＸＴはシステム性能に有意な損害は示さず、その一方、ＦＥＸＴは回線伝送に重大な影響を及ぼす。
【０００４】
例えば、ｘＤＳＬサービスを１つのケーブル束で複数加入者に対して稼動した場合、一部の回線は伝送速度が遅く不安定になる、またはｘＤＳＬサービス自身がＦＥＸＴによって稼動に失敗する可能性がある。このようにして、デジタル加入者線アクセスマルチプレクサ（ＤＳＬＡＭ）の稼働率が低下する。
【０００５】
一部の技術者は、様々な場所に存在する装置間のクロストークを回避するためのスペクトラム応用の管理を成し遂げ、明細書に記載している。クロストークが有する課題を解決するために最近用いられる技術と方法には、複数加入者検出技術、最尤複数加入者検出技術及び干渉キャンセル複数加入者検出技術が含まれる。
【発明の開示】
【発明が解決しようとする課題】
【０００６】
しかしながら、最近の技術は複雑化しており、大量に演算を要する。さらに、これら技術はクロストークの統計的特性に基づいてＤＳＬ回線の性能またはシステムを最適化するだけのものであって、複数の回線における定量的なクロストーク検査を提供するものではない。結果として、これらの技術ではＤＳＬ回線の伝送性能を十分に最適化することはできない。
【課題を解決するための手段】
【０００７】
本発明は、複数加入者の通信回線におけるクロストーク検査のための方法、装置及びシステムを開示する。これにより複数回線間のクロストークが定量的に検査され、ＤＳＬ回線性能またはシステム性能の最適化を促進することができる。
【０００８】
上記目的は、下記の技術的解決法により成し遂げられるものである。
【０００９】
本発明の一実施形態は、複数加入者の通信回線におけるクロストーク検査方法を提供する。
この方法は、送信側で、直交スペクトラム拡散符号を複数加入者の通信回線間の回線に取り込む工程と、直交スペクトラム拡散符号が取り込まれた信号を送信する工程を備える。この直交スペクトラム拡散符号は回線に対応している。
この方法はさらに、受信側で、実際の受信信号ベクトルに従ってクロストークベクトル情報を得る工程と、回線のうち特定の回線からのクロストークの定量値を測定する工程を備える。
【００１０】
この方法はまた、複数加入者の通信回線のうち各回線にマップされる直交スペクトラム拡散符号を含む。この方法はさらに、各回線をラベルする工程と、直交スペクトラム拡散符号のグループにラベルをマップする工程と、マップをマッピングテーブルに保存する工程を備える。
【００１１】
直交スペクトラム拡散符号を取り込む工程はさらに、回線に対応する直交スペクトラム拡散符号を、回線の１つのトーンまたは複数のトーンにおけるシンボルに連続的に取り込む工程を備える。各回線において、各シンボルは回線に対応する１以上のビットの直交スペクトラム拡散符号を用いて取り込まれる。
【００１２】
実際の受信信号ベクトルに基づきクロストークベクトル情報を得る工程はさらに、検査中回線の受信側で、高速フーリエ変換（ＦＦＴ）による検査中回線の各トーンまたは各回線の受信信号からのクロストーク情報を含む受信信号ベクトルを得る工程と、受信信号ベクトルと期待受信信号ベクトル間の差を算出する工程と、その差を特定のトーンまたは検査中回線におけるクロストーク情報として見なす工程を備える。
【００１３】
検査中回線における特定の回線のクロストークの定量値を測定する工程は、さらに、対応する直交スペクトラム拡散符号によるトーンまたは回線のクロストークベクトル情報を逆拡散する工程と、逆拡散結果に従って、特定の回線から検査中回線へのクロストークまたは検査中回線のトーンにおけるクロストークの定量値を得る工程を備える。
【００１４】
逆拡散結果は下式（数１）で示される。
【００１５】
【数１】
2009508415.tif 000003
【００１６】
尚、Ｌは直交スペクトラム拡散符号の長さであり、ｂｉは回線ｉに対応する直交スペクトラム拡散符号であり、△（ａ＋ｊｂ）はクロストークベクトル情報である。
【００１７】
特定の回線から検査中回線へのクロストークまたは検査中回線のトーンにおけるクロストークの定量値を得る工程はさらに、定量値を得るために逆拡散結果にＭＯＤ操作を実施する工程と、その値が設定閾値を越えているか否かを決定する工程を備える。
値が設定閾値を超えている場合、値を特定の回線から検査中回線へのクロストークの定量値として見なし、値が設定閾値を超えていない場合、検査中回線において特定の回線によるクロストークの影響はないと決定する。
【００１８】
本発明の一実施形態では、検査中回線の複数のトーンにおいてクロストークを検出した場合、検査中回線または検査中回線のトーンにおける特定の回線からのクロストークの定量値を得る工程がさらに、検査中回線の次のトーンにおける逆拡散結果を決定する工程と、
検査中の回線の全ての複数のトーンの逆拡散結果が得られるまで、特定の回線から検査中回線の次のトーンへのクロストークの定量値を算出及び決定する工程と、クロストーク検査結果を得る工程を備える。
【００１９】
この方法はまた、逆拡散結果に基づく検査中回線におけるクロストーク信号の位相角を得る工程と、検査中回線の初期位相角に基づく位相特性を決定する工程を備える。
【００２０】
本発明の一実施形態は、複数加入者の通信回線におけるクロストーク検査のための送信装置を提供する。本装置は、回線ラベルと直交スペクトラム拡散符号間のマッピングを保存して、取り込まれる信号を検査信号取り込みモジュールに提供するように構成される取り込み信号設定モジュールと、取り込み信号設定モジュールによって供給される検査回線に対応する直交スペクトラム拡散符号に基づく検査信号を取り込み、検査信号を送信するように構成される検査信号取り込みモジュールを備える。
【００２１】
本発明の一実施形態はまた、複数加入者の通信回線におけるクロストーク検査のための受信装置を提供する。本受信装置は、送信装置からの信号を受信し、ＦＦＴ（高速フーリエ変換）による受信信号ベクトルを得るように構成される信号受信及び処理モジュールと、受信装置の受信信号ベクトルと期待受信信号ベクトルに基づくクロストークベクトルを算出するように構成されるクロストークベクトル算出モジュールと、クロストークベクトルに基づいて特定の回線から検査中回線への定量値を算出するように構成されるクロストーク値算出モジュールを備える。
【００２２】
このクロストーク値算出モジュールは、クロストークベクトルを逆拡散し、逆拡散結果を得るように構成される逆拡散モジュールと、逆拡散結果にＭＯＤ操作を実施し、定量値と位相を得るように構成される値及び位相算出モジュールと、ＭＯＤ操作結果と設定閾値に基づいてクロストークが存在するか否かを判断し、クロストークの定量値を決定するように構成される判断モジュールを備える。
【００２３】
本発明の一実施形態はまた、複数加入者の通信回線におけるクロストーク検査のシステムを提供する。このシステムは、送信装置と受信装置を備え、送信装置が検査信号を送信し、受信装置が検査信号を受信してクロストークの定量値を算出する。
【発明の効果】
【００２４】
本発明の一実施形態で提供される技術的解決法によると、クロストークの発生源が識別され、そのクロストーク値が算出される。複数のＤＳＬ回線におけるクロストークがリアルタイムに検査され、回線の伝送性能に影響を与えることがない。したがって、操作する回線および装置に干渉が生じることがない。
【００２５】
検査結果は、幾つの回線が検査中回線に有意に影響を及ぼすのかを示し、その影響の重大度を反映したものであり、動的スペクトルマネジメントへの有効な基準を提供している。
【００２６】
本発明によると、通信回線が速いとともにより安定な伝送速度を提供し、システムの全体的性能およびＤＳＬＡＭの稼働率が強化される。
【発明を実施するための最良の形態】
【００２７】
本発明の主な目的は、クロストークの発生源を検出し、クロストークを定量化することである。もしクロストークがＤＳＬ装置においてリアルタイムで検査することができれば、ＤＳＬ装置はクロストークにリアルタイムで応答することとなる。これにより、複数加入者のＤＳＬ回線間のクロストークを回避することができ、ＤＳＬＡＭ装置の性能を最適化するためのクロストークのデータを提供することができる。
【００２８】
実際には、同じケーブル束におけるｘＤＳＬ回線は、各回線にクロストークの影響が及ぶ可能性がある。本発明の中心概念は、符号分割によるクロストークの発生源の識別及びクロストークの定量化とともに、複数のｘＤＳＬ回線対の間のクロストーク検査を実施することである。
【００２９】
本発明の一実施形態として提供される方法を、以下、付随の図面を参照しつつ詳細に説明する。
【００３０】
図３において、φｉ,ｊ（ｎ)は、回線ｊから回線ｉのｎ個目のトーンまでのクロストークを示す。回線ｉのｎ個目のトーンの全クロストークエネルギーは下式（数２）で示される。
【００３１】
【数２】
2009508415.tif 000004
【００３２】
尚、φｉ,ｊ（ｎ)＝０（ｉ＝ｊ）であり、Ｍは回線数である。
【００３３】
一般的に、全クロストークエネルギーは、回線の初期化中の沈黙時間に大まかに測定される。各トーンにおける全クロストークエネルギーは、回線性能を推定するために用いられるが全体の回線の最適化に十分に適応するものではなく、この最適化はシステムの２回線ごとにその回線間のクロストークに依存する必要がある。したがって、システムの２回線ごとに、その回線間のクロストークを算出する必要がある。即ち、システムの各回線のφｉ,ｊ（ｎ)において、iとjの範囲は両方とも１からＭである。
【００３４】
その他の全ての回線は、同時に特定の回線にクロストークの影響を及ぼす可能性がある。図４に示す如く、回線１から回線ｊは、回線iにクロストークの影響を与える。課題は、異なる回線から回線iへのクロストークを同時にどのようにして別々に識別するかということと、回線iにクロストークの影響を及ぼす特定の回線をどのようにして識別するかということである。
【００３５】
本発明の一実施形態では、システムの２回線ごとのクロストークを決定するためにラベルを用いる。この方法によると、全体のクロストーク信号は、各回線からのクロストークの合計から算出されたものである。このようにして、各回線から回線iまでのクロストークが決定される。
【００３６】
図４は、本発明の一実施形態で提供される方法を実現するフロー図である。このフロー図は、以下の工程を備える。
【００３７】
工程４１：異なる回線を識別するために、特定の数列または法則に従って回線のインターフェースをラベルする。
【００３８】
例えば、回線を１からi及びjまでラベルする。回線をラベルするには、これ以外の方法を用いてもよい。識別のために回線がラベルされた後、次の工程で、各回線からのクロストークが別々に算出される。
【００３９】
工程４２：直交スペクトラム拡散符号のグループにラベルをマップして一対一対応を確立する。この時、直交スペクトラム拡散符号の長さはＬである。そしてそのマッピングをマッピングテーブルに保存する。（表１参照）
クロストーク検査は、関連のある直交スペクトラム拡散符号を異なる検査チャネルに取り込むことにより実施される（即ち検査回線はラベルによって識別される）。
【００４０】
【表１】
2009508415.tif 000005
【００４１】
工程４３：図６は、図５に示す検査チャネルの特定のトーンにおける直交スペクトラム拡散符号の取り込みを示す。
特に、１つの検査チャネルの特定のトーンにおいて、検査チャネルに対応した１ビットの直交スペクトラム拡散符号が各シンボルに取り込まれ、そしてＬシンボルが継続して数ビットの直交スペクトラム拡散符号を用いて取り込まれる。このＬは直交スペクトラム拡散符号の長さである。
【００４２】
上記以外としては、１つの検査チャネルの特定のトーンにおいて、検査チャネルに対応する直交スペクトラム拡散符号のｋビットが各シンボルに取り込まれ、そしてＬ／ｋシンボルが継続して数ビットの直交スペクトラム拡散符号を用いて取り込まれる。このＬ／ｋは、Ｌをｋで除算した値である。この方法による実現を確実にするためには、Ｌ／ｋは整数であるべきである。
【００４３】
例えば、図５の回線１のクロストークを検出するためには、直交スペクトラム拡散符号を取り込む工程が回線１において実施される。
回線１に取り込まれた符号は、表１において回線１に対応する直交符号ｂ１である。
【００４４】
図７に示す如く、スペクトラム拡散符号語の数ビットが各トーンのシンボルに取り込まれ、受信側でシンボルの逆拡散が実施される。逆拡散結果は、受信側で、検査中回線におけるクロストークの影響の有無およびクロストークの重大度を反映することができるが、特定のトーンにおけるクロストークの影響の有無およびクロストークの重大度は反映しない。この方法は、簡潔であるとともに時間を節約でき、これにより定量分析において重要な役割を果たすことができる。
【００４５】
工程４４：ＦＦＴによるクロストーク情報を含む受信信号ベクトルを得て、検査中チャネルに接続された加入者宅内機器（ＣＰＥ）におけるクロストークベクトルを決定する。
【００４６】
検査中チャネルの送信ベクトルＹは、他の回線からクロストークの影響やノイズを受けてＸに向けて伸張および回転する。検査中チャネルは回線２から回線i及び回線jのうち、いずれであってもよい。
【００４７】
図８に示す如く、クロストークベクトル△（ａ＋ｊｂ）は、他の回線から検査中の回線へのクロストークを含み、これは信号ベクトルＸとＹ間の差である。
【００４８】
受信信号ベクトルを算出し、受信側の受信信号ベクトルと期待受信信号ベクトルに従ってクロストークベクトルを決定する。
【００４９】
工程４５：工程４２のマッピングテーブルに従って、クロストークベクトル△（ａ＋ｊｂ）を各回線に対応する直交符号で逆拡散する。
【００５０】
クロストークベクトルの逆拡散を図９に示す。この際の式は下式（数３）で示される通りである。
【００５１】
【数３】
2009508415.tif 000006
【００５２】
尚、Ｌは直交スペクトラム拡散符号の長さを示し、ｂｉは表１の直交スペクトラム拡散符号（即ち直交符号）である。
【００５３】
工程４６：逆拡散結果（複素数）にＭＯＤ操作を実施する。
【００５４】
工程４７：ＭＯＤ操作の結果が設定閾値を超えているか否かを判断する。ＭＯＤ操作の結果が設定閾値を超えている場合は工程４８を実行し、そうでない場合は工程４９を実行する。
【００５５】
工程４８：特定の検査チャネルが検査中チャネルにクロストークの影響を与えるかどうかを決定する。ＭＯＤ操作の結果をクロストークの相対定量値として見なし、工程４９を実行する。
【００５６】
これは、特定の検査チャネルが逆拡散結果に従ってクロストークの影響を与えるかどうかを判断するものである。そして、特定の検査チャネルから検査中チャネルまでのクロストークの定量値を、ＭＯＤ操作結果と直交スペクトラム拡散符号に一致する回線ラベルに従って、算出により決定する。
【００５７】
例えば、もし工程４５の逆拡散結果が回線２の直交符合ｂ２に基づいて得られた場合、結果は設定閾値を超え、回線２は検査中回線にクロストークの影響を及ぼす。このクロストークは、工程４３で取り込まれたトーンにおいて生じたものである。そして逆拡散結果に基づいて算出されたＭＯＤ操作結果は、クロストークの相対定量値として見なしてもよい。
【００５８】
本発明の一実施形態として提供した方法では、工程４５の逆拡散結果をクロストークの位相特性を算出するために用いてもよい。例えば、工程４５の結果がα＋ｊβである場合、検査中クロストーク信号の位相角は、数式φ１＝ａｒｃｔａｇ(β／α)を用いて算出することができる。検査中回線（または検査中チャネル）の初期位相角は、φ０であると知られている。したがって、クロストークの位相変化はφ１〜φ０であり、即ちこれが位相特性である。
【００５９】
工程４９：回線の全てのトーンのクロストークが定量化されたか否かを判断する。もし回線の全てのトーンのクロストークが定量化されていなければ、工程４３を実行する。そうでない場合は、クロストークの定量値と位相特性を備えた状態でこの検査を終了する。
【００６０】
留意するべきことは、図１０にも示す如く、全てのトーンにおけるクロストークとその定量値は、工程４３で同時に各トーンにおいて直交スペクトラム拡散符号を送信することによって一度に得てもよい。
【００６１】
本発明の一実施形態では、複数の通信回線のいずれの回線においても、クロストーク検査を実施可能である。例えば、３つの通信回線が特定の回線にクロストークの影響を及ぼすと、図１１に示す如く、３つの曲線が３つの回線におけるクロストーク検査の結果を記録する。
【００６２】
本発明の一実施形態はまた、図１２に示す如く、複数加入者の通信回線におけるクロストーク検査のためのシステムを提供する。このシステムは、送信装置と受信装置を備える。送信装置が検査信号を送信し、受信装置が検査信号を受信してクロストークの定量値を算出する。
【００６３】
これらの装置について、以下詳細を説明する。
１．複数加入者の通信回線におけるクロストーク検査のための送信装置であって、以下を備える。
本装置は、回線ラベルと直交スペクトラム拡散符号間のマッピングを保存して（マッピング情報は表１に示す）、取り込まれる信号を検査信号取り込みモジュールに提供するように構成される取り込み信号設定モジュールと、取り込み信号設定モジュールによって供給される検査回線に対応する直交スペクトラム拡散符号に基づく検査信号を取り込み、検査信号を受信装置に送信するように構成される検査信号取り込みモジュールを備える。
尚、信号設定モジュールにおいて、設定を取り込む詳細な方法は省略する。また、検査信号取り込みモジュールにおいて、取り込むための特定の処理は必要条件によって決定され、取り込むための詳細な方法は省略する。
【００６４】
２．複数加入者の通信回線におけるクロストーク検査のための受信装置であって、以下を備える。
本受信装置は、送信装置からの信号を受信し、ＦＦＴによる受信信号ベクトルを得るように構成される信号受信及び処理モジュールと、受信装置の受信信号ベクトルと期待受信信号ベクトルに基づくクロストークベクトルを算出するように構成されるクロストークベクトル算出モジュール（即ち、送信信号ベクトルと期待受信信号ベクトル間の差がクロストークベクトルである）と、クロストークベクトルに基づいて特定の回線から検査中回線への定量値を算出するように構成されるクロストーク値算出モジュールを備える。
【００６５】
クロストーク値算出モジュールは、クロストークベクトルを逆拡散し、逆拡散結果を得るように構成される逆拡散モジュール（詳細な方法は図９に示しており、ここでは省略する。）と、逆拡散結果にＭＯＤ操作を実施し、ＭＯＤ値と位相を得るように構成される値及び位相算出モジュールと、ＭＯＤ操作結果と設定閾値に基づいてクロストークが存在するか否かを判断し、クロストークの定量値を決定するように構成される判断モジュールを備える。
尚、位相算出モジュールにおいて、位相とは、クロストークの位相特性であって、ＭＯＤ値はクロストークの定量値として見なされている。また、判断モジュールにおいて、例えば、もしＭＯＤ操作結果が設定閾値を超える場合はクロストークが存在すると決定し、ＭＯＤ操作結果をクロストークの定量値として見なし、そうでない場合は、クロストークが存在しないと決定する。
【００６６】
本発明の一実施形態では、クロストークの発生源が識別され、クロストークが定量化される。この一実施形態が実現することは、回線の伝送性能に影響を与えず、したがって回線と装置の操作に干渉が生じることがない。検査結果は、幾つの回線が検査中回線に有意に影響を及ぼすのかを示し、その影響の重大度を反映したものであり、動的スペクトルマネジメントへの有効な基準を提供している。
【００６７】
本発明は幾つかの典型的な実施形態を説明しているが、本発明はこれらの実施形態に限定されない。当業者が、本発明の根底と本発明の範囲を逸脱せずに本発明に様々な修正及び変更をなし得ることは明らかである。本発明は、本発明の請求の範囲またはその等価物により定義される保護範囲に含まれるこれらの修正及び変更をも網羅するものとする。
【図面の簡単な説明】
【００６８】
【図１】ＮＥＸＴの概略図である。
【図２】ＦＥＸＴの概略図である。
【図３】複数の通信回線の送信におけるクロストークモデルである。
【図４】本発明の一実施形態で提供される方法を実現するフロー図である。
【図５】直交符号への回線ラベルのマッピングを示す図である。
【図６】スペクトラム拡散符号の取り込みを示す図である。
【図７】シンボルにおけるスペクトラム拡散符号の取り込みを示す図である。
【図８】ベクトルの調節および受信を示す図である。
【図９】クロストーク検査方法における信号のフロー図である。
【図１０】１回線におけるクロストーク検査の結果を示す図である。
【図１１】複数回線におけるクロストーク検査の結果を示す図である。
【図１２】本発明の一実施形態で提供されるシステム構造を示す図である。
【図１】
2009508415.tif 000008
【図２】
2009508415.tif 000009
【図３】
2009508415.tif 000010
【図４】
2009508415.tif 000011
【図５】
2009508415.tif 000012
【図６】
2009508415.tif 000013
【図７】
2009508415.tif 000014
【図８】
2009508415.tif 000015
【図９】
2009508415.tif 000016
【図１０】
2009508415.tif 000017
【図１１】
2009508415.tif 000018
【図１２】
2009508415.tif 000019
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
複数加入者の通信回線におけるクロストーク検査方法であって、該方法が、
送信側で、直交符号を複数加入者の通信回線間の回線に取り込む工程と、
前記直交符号が取り込まれた信号を送信する工程を備え、
前記直交符号は前記回線に対応したものであり、
前記方法はさらに、
受信側で、実際の受信信号ベクトルに従ってクロストークベクトル情報を得る工程と、
前記回線のうち特定の回線からのクロストークの定量値を測定する工程を備えることを特徴とする方法。
【請求項２】
前記直交符号が複数加入者の通信回線のうち各回線にマップされ、該方法はさらに、
前記各回線をラベルする工程と、
直交符号のグループにラベルをマップする工程と、
前記マップをマッピングテーブルに保存する工程を備えることを特徴とする請求項１記載の方法。
【請求項３】
前記直交符号を取り込む工程がさらに、
前記回線に対応する前記直交符号を、前記回線の１つのトーンまたは複数のトーンにおけるシンボルに連続的に取り込む工程を備え、
前記各回線において、前記各シンボルが、前記回線に対応する１以上のビットの直交符号を用いて取り込まれることを特徴とする請求項１記載の方法。
【請求項４】
前記実際の受信信号ベクトルに基づきクロストークベクトル情報を得る工程がさらに、
前記検査中回線の受信側で、高速フーリエ変換（ＦＦＴ）による前記検査中回線の各トーンまたは各回線の前記受信信号からのクロストーク情報を含む受信信号ベクトルを得る工程と、
前記受信信号ベクトルと期待受信信号ベクトル間の差を算出する工程と、
前記差を、特定のトーンまたは前記検査中回線における前記クロストーク情報として見なす工程を備えることを特徴とする請求項１乃至３いずれかに記載の方法。
【請求項５】
前記特定の回線のクロストークの前記定量値を測定する工程がさらに、
前記トーンまたは回線の前記クロストークベクトル情報の操作を実行する工程と、
前記クロストークベクトル情報の操作の実行結果に従って、前記特定の回線から前記検査中回線への前記クロストークまたは前記検査中回線の前記トーンにおける前記クロストークの定量値を得る工程を備えることを特徴とする請求項１乃至３のいずれかに記載の方法。
【請求項６】
前記クロストークベクトル情報の操作の実行結果が下式（数１）で示されることを特徴とする請求項５記載の方法。
【数１】
2009508415.tif 000020
尚、Ｌは直交符号の長さであり、ｂｉは回線ｉに対応する前記直交符号であり、△（ａ＋ｊｂ）は前記クロストークベクトル情報である。
【請求項７】
前記特定の回線から前記検査中回線への前記クロストークまたは前記検査中回線の前記トーンにおける前記クロストークの定量値を得る工程がさらに、
前記対応する直交符号を用いて定量値を得るために、前記クロストークベクトル情報の操作の実行結果にＭＯＤ操作を実施する工程と、
前記値が設定閾値を越えているか否かを決定する工程を備え、
前記値が前記設定閾値を超えている場合、前記値を前記特定の回線から前記検査中回線へのクロストークの定量値として見なし、
前記値が前記設定閾値を超えていない場合、前記検査中回線において前記特定の回線によるクロストークの影響はないと決定することを特徴とする請求項５記載の方法。
【請求項８】
検査中回線の複数のトーンにおいてクロストークを検出した場合、前記検査中回線または前記検査中回線の前記トーンにおける前記特定の回線からの前記クロストークの定量値を得る工程がさらに、
前記検査中回線の次のトーンにおける前記クロストークベクトル情報の操作の実行結果を決定する工程と、
前記検査中の前記回線の全ての前記複数のトーンの前記クロストークベクトル情報の操作の実行結果が得られるまで、前記特定の回線から前記検査中回線の前記次のトーンへの前記クロストークの前記定量値を算出及び決定する工程と、
前記クロストーク検査結果を得る工程を備えることを特徴とする請求項７記載の方法。
【請求項９】
前記クロストークベクトル情報の操作の実行結果に基づく前記検査中回線における前記クロストーク信号の位相角を得る工程と、
前記検査中回線の初期位相角に基づく位相特性を決定する工程を備えることを特徴とする請求項５記載の方法。
【請求項１０】
複数加入者の通信回線のための送信装置であって、該送信装置は、
回線ラベルと直交符号間の前記マッピングを保存して、取り込まれる信号を検査信号取り込みモジュールに提供するように構成される取り込み信号設定モジュールと、
前記取り込み信号設定モジュールによって供給される前記検査回線に対応する直交符号に基づく検査信号を取り込み、クロストーク検査のための前記検査信号を送信するように構成される検査信号取り込みモジュールを備えることを特徴とする送信装置。
【請求項１１】
複数加入者の通信回線のための受信装置であって、該受信装置は、
送信装置からの信号を受信し、高速フーリエ変換（ＦＦＴ）による受信信号ベクトルを得るように構成される信号受信及び処理モジュールと、
前記受信装置の前記受信信号ベクトルと期待受信信号ベクトルに基づくクロストークベクトルを算出するように構成されるクロストークベクトル算出モジュールと、
複数加入者の通信回線間の回線に対応する直交符号に従って、前記クロストークベクトルに基づき特定の回線から前記検査中回線への前記クロストークの前記定量値を算出するように構成されるクロストーク値算出モジュールを備えることを特徴とする受信装置。
【請求項１２】
前記クロストーク値算出モジュールが、
前記クロストークベクトルの操作を実行し、前記クロストークベクトル情報の操作の実行結果を得るように構成される逆拡散モジュールと、
前記クロストークベクトル情報の操作の実行結果にＭＯＤ操作を実施し、定量値と位相を得るように構成される値及び位相算出モジュールと、
前記ＭＯＤ操作結果と設定閾値に基づいてクロストークが存在するか否かを判断し、前記クロストークの前記定量値を決定するように構成される判断モジュールを備えることを特徴とする請求項１１記載の受信装置。
【請求項１３】
複数加入者の通信回線のためのシステムであって、
送信装置と受信装置を備え、
前記送信装置が、直交符号を用いて取り込まれた検査信号を複数加入者の通信回線間の回線に送信し、
前記受信装置が検査信号を受信し、対応する直交符号によって前記クロストークの定量値を算出することを特徴とするシステム。
【請求項１４】
前記送信装置がデジタル加入者線アクセスマルチプレクサ（ＤＳＬＡＭ）であって、
前記受信装置が加入者宅内機器（ＣＰＥ）であることを特徴とする請求項１３記載のシステム。
【国際調査報告】
2009508415.tif 000021
2009508415.tif 000022
2009508415.tif 000023
2009508415.tif 000024
2009508415.tif 000025
2009508415.tif 000026